(57)【要約】      （修正有）【課題】導光体の長手方向における色度差を抑制させた線状光源装置を提供する。【解決手段】長手方向に沿って伸びる出射面３２を備えると共に、該出射面３２に対向する背面に凸凹溝からなる反射面３１１を備えた棒状の導光体３と、該導光体３の一端面３３に対向する発光ダイオード２２を備えた光源２と、該反射面３１１の外面に対向し、且つ、導光体３の長手方向に沿って伸びる拡散反射面７１を備えた拡散反射体７と、を備えた線状光源装置１において、該反射面３１１と該拡散反射面７１との間に、該光源２からの光のうちの長波長域の光の透過率が短波長域の光の透過率よりも低いフィルタ５ａ，５ｂを設け、該フィルタ５ａ，５ｂを、該導光体３の一端面３３から他端面３４に向かうに従って、該長波長域の光の透過率と該短波長域の光の透過率との差が大きくなるようにする。【選択図】図１
2011249190.tif 000002
【特許請求の範囲】
【請求項１】
長手方向に沿って伸びる出射面を備えると共に、該出射面に対向する背面に凸凹溝からなる反射面を備えた棒状の導光体と、
該導光体の一端面に対向する発光ダイオードを備えた光源と、
該反射面の外面に対向し、且つ、導光体の長手方向に沿って伸びる拡散反射面を備えた拡散反射体と、
を備えた線状光源装置において、
該反射面と該拡散反射面との間に、該光源からの光のうちの長波長域の光の透過率が短波長域の光の透過率よりも低いフィルタを設け、
該フィルタを、該導光体の一端面から他端面に向かうに従って、該長波長域の光の透過率と該短波長域の光の透過率との差が大きくなるようにした
ことを特徴とする線状光源装置。
【請求項２】
長手方向に沿って伸びる出射面を備えると共に、該出射面に対向する背面に凸凹溝からなる反射面を備えた棒状の導光体と、
該導光体の一端面に対向する発光ダイオードを備えた光源と、
を備えた線状光源装置において、
該反射面の外面に、該光源からの光のうちの長波長域の光の反射率が短波長域の光の反射率よりも低い反射体を設け、
該反射体を、該導光体の一端面から他端面に向かうに従って、該長波長域の光の反射率と該短波長域の光の反射率との差が大きくなるようにした
ことを特徴とする線状光源装置。
【発明の詳細な説明】
【技術分野】
【０００１】
本発明は、ファクシミリ、複写機、イメージスキャナ、バーコードリーダなどに使用する画像読取装置の照明用光源に用いられる線状光源装置に関する。
【背景技術】
【０００２】
従来、ファクシミリなどの画像読取装置において、線状光源装置として特開平１１−１３４９１８号公報に記載されたものがあった。
【０００３】
図９（ａ）は、従来に係る線状光源装置１００の説明図である。
図９（ａ）は、導光体１３０の長手方向に沿った断面図であって、光源１２０が設けられた側の端部のみを図示したものである。
【０００４】
線状光源装置１００は、棒状の導光体１３０と、この棒状の導光体１３０の一端面１３３に対向する発光ダイオード１２２と、この導光体１３０の背面側に配置された拡散反射体１７０と、を備える。
棒状の導光体１３０は、その長手方向に沿って光を出射する出射面１３２が設けられる。この出射面１３２に対向する背面には、三角波など凸凹溝からなる反射面１３１が設けられ、この反射面１３１は、導光体１３０の長手方向に沿って設けられる。
このような導光体９１１の構成材料としては、透光性、耐熱性及び成形性を有する材料が用いられ、例えばアクリル樹脂やポリカーボネート樹脂などが挙げられる。
【０００５】
導光体１３０の端部には、光源１２０が設けられる。
この光源１２０は、基板１２１上に設けた発光ダイオード１２２を備え、発光ダイオード１２２を導光体１３０の一端面１３３に対向するように配置する。
この発光ダイオード１２２としては、カラー画像の読取用途においては、赤，緑及び青色発光ダイオードを組み合せたものが用いられる。
【０００６】
導光体１３０の一端面１３３側の端部の外周には、光拡散層１４０が配置される。
この光拡散層１４０を設けることによって、導光体１３０の内部に取り込まれた光が、導光体１３０の端部の外周から外部に出射されることを抑制できる。
【０００７】
導光体１３０の光反射面１３１の外面には、導光体１３０の長手方向に沿って伸びるように、拡散反射体１７０が配置される。拡散反射体１７０は、拡散反射面を備え、この拡散反射面が導光体１３０の反射面１３１に対向するように配置される。
【０００８】
従来に係る線状光源装置１００は、光源１２０からの光が、導光体１３０の一端面１３３を照射し、導光体１３０の内部に取り込まれる。導光体１３０の内部に取り込まれた光は、導光体１３０の反射面１３１で反射されて出射面１３２から出射されたり、導光体１３０の反射面１３１を通過した光が拡散反射体１７０の拡散反射面で拡散反射されて出射面１３２から出射されたりする。このように、光源１２０からの光は、導光体１３０の内部をその長手方向に沿って進みつつ、出射面１３２から出射され、導光体１３０の長手方向に沿った線状光となる。
【０００９】
また、線状光源装置としては、特開２００８−２１６４０９号公報に記載されるものもあった。
【００１０】
図９（ｂ）は、従来に係る線状光源装置２００の説明図である。
図９（ｂ）は、導光体２３０の長手方向に対して直交した断面図であって、線状光源装置２００と反射鏡２９２とを備えた装置全体図を示した図である。
【００１１】
線状光源装置２００は、棒状の導光体２３０と、この棒状の導光体２３０の一端面に対向する発光ダイオード（不図示）と、を備える。
棒状の導光体２３０は、その長手方向に沿って光を出射する出射面２３２が設けられる。この出射面２３２に対向する背面２３１には、凸凹溝からなる反射面２３１１，２３１２が設けられ、この反射面２３１１，２３１２は、導光体２３０の長手方向に沿って設けられる。
【００１２】
図９（ｂ）に示す線状光源装置２００では、原稿台２９５上の不図示の読取媒体に光を照射するため、読取媒体に対して、導光体２３０の出射面２３２からの直接光と、反射鏡２９２で反射させた間接光とを照射している。このように反射鏡２９２を利用する場合、導光体２３０の背面２３１には、光源からの光を原稿台２９５に向かって反射する反射面２３１１と、反射鏡２９２に向かって反射する反射面２３１２とが設けられる。
【００１３】
導光体２３０は、円弧状の出射面２３２と背面２３１との間の側面に突出部２３６が設けられ、この突出部２３６を利用して支持台２９１に保持される。
【００１４】
反射鏡２９２は、反射鏡支持台２９３に保持される。
反射鏡２９２と導光体２３０との位置関係を保持するため、反射鏡２９２を保持する反射鏡支持台２９３と導光体２３０を保持する支持台２９１とは、基台２９４によって固定される。
【先行技術文献】
【特許文献】
【００１５】
【特許文献１】特開平１１−１３４９１８号公報
【特許文献２】特開２００８−２１６４０９号公報
【発明の概要】
【発明が解決しようとする課題】
【００１６】
画像読取用途において、読取媒体をカラーで読み取る場合に、線状光源装置からの光は白色光のような複数の色からなる光が利用され、この白色光が読取媒体（原稿用紙など）に照射されることで、読取媒体に記載のカラー文字などから反射光を得て、ＣＣＤで読み取る。
上述の従来に係る線状光源装置をカラー読取に利用したとき、読取媒体をＣＣＤによって読み取った結果に色むらが生じる問題があった。
【００１７】
このような問題が生じた理由を、本発明者らが鋭意検討したところ、導光体の構成材料に原因があることを発見した。この知見については、図１０を用いて説明する。
【００１８】
図１０は、１０ｍｍの厚みを有したアクリル樹脂において、各波長の透過率を示した図である。
図１０に示すように、１０ｍｍの厚みを有したアクリル樹脂は、約４００ｎｍの波長から光を透過し始め、波長が長くなるにつれてその透過率が上昇し、約６００ｎｍの波長以上の長波長の光はほぼ１００％透過するようになる。
このように、図１０からは、アクリル樹脂が波長によって透過率が異なることが分かる。
【００１９】
このように、アクリル樹脂が４００ｎｍ〜６００ｎｍの波長域の光の透過率が１００％にならないのは、４００ｎｍ〜６００ｎｍの波長域の光をアクリル樹脂が吸収しているためである。従って、図１０は、アクリル樹脂が１０ｍｍの厚みを有する場合に、４００ｎｍ〜６００ｎｍの波長の光を、どれだけ吸収しているかを示しており、アクリル樹脂の厚みが１０ｍｍより厚くなる毎に吸収する量は増えていく。
【００２０】
Ａ４サイズの読取媒体を読み取る場合、線状光源装置の導光体は約２００ｍｍの長さを有する。導光体の一端面から光源からの光が入射されると、導光体の長手方向に沿って出射面から光が出射される。
光源が、例えば青色発光ダイオードからの青色光と黄色蛍光体からの黄色光とを混色した白色光であった場合、青色光の波長域は例えば４３０ｎｍ〜４７０ｎｍであり、黄色光の波長域は例えば５００ｎｍ〜６００ｎｍであって、これらの波長域が光源からの白色光には含まれている。
導光体をアクリル樹脂で構成した場合、導光体の一端面（光源側）から１０ｍｍ離れた出射面から出射される光は、図１０に示すように、光源からの光のうち４３０ｎｍ〜４７０ｎｍの波長域の光は最大５％ほど導光体に吸収されているのに対して、５００ｎｍ〜６００ｎｍの波長域の光は最大２％ほど導光体に吸収されている。
一方、導光体の一端面（光源側）から２００ｍｍ離れた出射面から出射される光は、導光体の一端面から１０ｍｍ離れた出射面から出射される光よりも４３０ｎｍ〜４７０ｎｍの波長域が吸収される量が増えることから、例えば最大２０％ほど吸収される。これに対して、５００ｎｍ〜６００ｎｍの波長域の光は、例えば最大８％ほど吸収される。
このように、導光体の出射面から出射される光は、１０ｍｍ離れた出射面から出射される光の青色光と黄色光との強度比率に比べて、２００ｍｍ離れた出射面から出射される光の青色光と黄色光との強度比率とが異なっていることから、両者の色度が異なっている。前述のように、アクリル樹脂は、その厚みが厚くなるに従って、４００ｎｍ〜６００ｎｍの波長の光の吸収量が増えていくことから、アクリル樹脂からなる導光体は、その長手方向に沿って、青色光（４３０ｎｍ〜４７０ｎｍの波長域の光）の光の吸収量が、黄色光（５００ｎｍ〜６００ｎｍの波長域の光）の吸収量に比べて大きくなっていき、導光体の光源側からの光に比べて、導光体の他端側（光源側と反対側の端部）に向かうに従って順次青色光の吸収量が大きくなってしまって、導光体の端部側に至っては光源側とは全く異なった色度となってしまう。
【００２１】
以上のように、導光体の構成材料によっては、光源からの白色光のうち短波長域の光（上述でいう青色光）の透過率が長波長域の光（上述でいう黄色光）の透過率より低いことから、導光体の長手方向に沿って光源側から離れていく毎に短波長域の光が長波長域の光に比べて強度が低下していってしまって、導光体からの線状光は、その長手方向に沿って異なる色度となってしまい、読取媒体をカラーで読み取るときに、色むらが生じたものと考えられる。
なお、上述では、導光体をアクリル樹脂で構成した場合で説明したが、アクリル樹脂だけでなく、シクロオレフィンコポリマー(ＣＯＣ：ｃｙｃｌｏ  ｏｌｅｆｉｎ  ｃｏｐｏｌｙｍｅｒ)，シクロオレフィンポリマー(ＣＯＰ：ｃｙｃｌｏ  ｏｌｅｆｉｎ  ｐｏｌｙｍｅｒ)及びポリカーボネート(ＰＣ：Ｐｏｌｙｃａｒｂｏｎａｔｅ)は、アクリル樹脂と同様に、光の波長に対して透過率が異なり、これらを導光体の構成材料としたときには、アクリル樹脂と同じように色むらの問題が生じる。
【００２２】
そこで、本発明の目的は、導光体の長手方向における色度差を抑制させた線状光源装置を提供することにある。
【課題を解決するための手段】
【００２３】
（１）第１の発明に係る線状光源装置は、長手方向に沿って伸びる出射面を備えると共に、該出射面に対向する背面に凸凹溝からなる反射面を備えた棒状の導光体と、該導光体の一端面に対向する発光ダイオードを備えた光源と、該反射面の外面に対向し、且つ、導光体の長手方向に沿って伸びる拡散反射面を備えた拡散反射体と、を備えた線状光源装置において、該反射面と該拡散反射面との間に、該光源からの光のうちの長波長域の光の透過率が短波長域の光の透過率よりも低いフィルタを設け、該フィルタを、該導光体の一端面から他端面に向かうに従って、該長波長域の光の透過率と該短波長域の光の透過率との差が大きくなるようにしたことを特徴とする。
（２）第２の発明に係る線状光源装置は、長手方向に沿って伸びる出射面を備えると共に、該出射面に対向する背面に凸凹溝からなる反射面を備えた棒状の導光体と、該導光体の一端面に対向する発光ダイオードを備えた光源と、を備えた線状光源装置において、該反射面の外面に、該光源からの光のうちの長波長域の光の反射率が短波長域の光の反射率よりも低い反射体を設け、該反射体を、該導光体の一端面から他端面に向かうに従って、該長波長域の光の反射率と該短波長域の光の反射率との差が大きくなるようにしたことを特徴とする。
【発明の効果】
【００２４】
本発明に係る線状光源装置は、上記特徴により、導光体の長手方向における色度差を抑制することができる。
【図面の簡単な説明】
【００２５】
【図１】第１の実施例に係る線状光源装置の説明図である。
【図２】第１の実施例に係る線状光源装置の説明図である。
【図３】第２の実施例に係る線状光源装置の説明図である。
【図４】第３の実施例に係る線状光源装置の説明図である。
【図５】第４の実施例に係る線状光源装置の説明図である。
【図６】第５の実施例に係る線状光源装置の説明図である。
【図７】実験に供した線状光源装置において、光源からの出射光の分光分布を示した図である。
【図８】実験結果を示した図である。
【図９】従来に係る線状光源装置の説明図である。
【図１０】アクリル樹脂の透過率を示した図である
【発明を実施するための最良の形態】
【００２６】
図１及び図２は、本発明の第１の実施例に係る線状光源装置１の説明図である。
図１は、線状光源装置１の導光体３の長手方向に沿った断面図である。図２は、図１の導光体３の長手方向に対して直交する断面図（図１のＡ−Ａ断面図）である。
【００２７】
第１の実施例に係る線状光源装置１は、棒状の導光体３と、導光体３の長手方向における一端面３３に対向配置した発光ダイオード２２を備えた光源２と、導光体３に設けられた反射面３１１に対向する拡散反射面７１を備えた拡散反射体７と、を備え、導光体３の反射面３１１と拡散反射体７の拡散反射面７１との間にフィルタ５ａ，５ｂが設けられる。
【００２８】
図１に示すように、導光体３の長手方向における一端面３３には、光源２が配置される。
この光源２は、基板２１の上面に発光ダイオード２２が設けられ、この発光ダイオード２２が導光体３の一端面３３に対向するように配置される。発光ダイオード２２は、半球状の封止体２３によって封止されており、この封止体２３は透光性を有することから、発光ダイオード２２からの光が封止体２３を通過して導光体３の一端面３３に取り込まれる。
封止体２３の構成材料としては、白色光を通過する材料が用いられ、例えばシリコーン樹脂のような透光性樹脂が用いられる。
【００２９】
この光源２は、白色光を出射するものが用いられ、例えば青色発光ダイオード２２と、例えば黄色蛍光体を封入した封止体２３とを用いることができる。この光源２からの出射光は、青色発光ダイオード２２からの青色光と、この青色光によって黄色蛍光体が励起されて得られた黄色光とが混色されて、白色光になる。
【００３０】
封止体２３の周縁には、封止体２３を反射面４１１で取り囲むように反射体４１が設けられる。
この反射面４１１は、発光ダイオード２２から導光体３に向かうに従って拡径されおり、小径側が発光ダイオード２２の周縁を取り囲み、大径側が導光体３の一端面３３の周縁を取り囲んでいる。また、反射面４１１の最小径部（図１の紙面左側の封止体２３の周縁を取り囲んでいる部分）は、導光体３の一端面３３の外径よりも小さいので、反射体４１の反射面４１１は、導光体３の一端面３３に対向するようになり、光源２から出射された光を反射面４１１で反射することで導光体３の一端面３３に入射される。
反射体４１は、反射面４１１の最大径部分から、導光体３に向かって筒状部分４１２が突出し、この筒状部分４１２が導光体３に当接する。これにより、導光体３の長手方向において、反射体４１の反射面４１１を導光体３の一端面３３に対して所望の位置に位置決めがなされて配置される。
反射体４１の構成材料としては、例えばアルミニウムなどの金属材料や、例えばステンレスなどの合金材料が用いられ、これら金属材料や合金材料を鏡面加工することで反射面４１１を形成することができる。
また、反射体４１の構成材料としては、例えばポリカーボネート（ＰＣ：Ｐｏｌｙｃａｒｂｏｎａｔｅ）樹脂やポリブチレンテレフタレート（ＰＢＴ：Ｐｏｌｙ  ｂｕｔｙｌｅｎｅ  ｔｅｒｅｐｈｔｈａｌａｔｅ）樹脂などを白化させた白色樹脂を用いることもできる。
【００３１】
棒状の導光体３は、一端面３３から取り込んだ光を出射する円弧状の出射面３２を備え（図２参照）、この出射面３２が導光体３の長手方向に沿って設けられる。
図２に示すように、導光体３は、円弧状の出射面３２の反対側に平坦な背面３１を有し、この背面３１に凸凹溝からなる反射面３１１を備え、この反射面３１１が導光体３の長手方向に沿って設けられる（図１参照）。
図２に示すように、導光体３は、出射面３２と背面３１との間に一対の側面３５を有し、その側面３５の一方には、突出部３６が設けられ、この突出部３６が導光体３の長手方向に沿って伸びるように設けられる。
導光体３の構成材料としては、白色光（可視光）を透過する材料が用いられ、例えばアクリル樹脂，シクロオレフィンコポリマー(ＣＯＣ：ｃｙｃｌｏ  ｏｌｅｆｉｎ  ｃｏｐｏｌｙｍｅｒ)樹脂，シクロオレフィンポリマー(ＣＯＰ：ｃｙｃｌｏ  ｏｌｅｆｉｎ  ｐｏｌｙｍｅｒ)樹脂やポリカーボネート(ＰＣ：Ｐｏｌｙｃａｒｂｏｎａｔｅ)樹脂などのような透光性樹脂が用いられる。
【００３２】
導光体３の他端面３４には拡散反射板８が設けられる。導光体３の内部に取り込んだ光のうち、導光体３の他端面３４に至った光は、この拡散反射板８によって拡散反射されることで、導光体３の内部に戻されることになり、出射面３２からの出射光の光量低下を抑制することができる。
【００３３】
図２に示すように、導光体３の背面３１には、拡散反射体７が設けられる。
この拡散反射体７は、拡散反射面７１を有しており、この拡散反射面７１で導光体３の外周のうち、背面３１及び側面３５を概略覆っている。また、拡散反射体７は、導光体３の長手方向に沿って設けられる。これにより、光源２から導光体３の内部に取り込んだ光は、導光体３の出射面３２以外から出射されることが抑制され、拡散反射面７１を照射した場合、拡散反射されて再度導光体３の内部に戻される。
【００３４】
図１に示すように、導光体３の反射面３１１と拡散反射体７の拡散反射面７１との間に、導光体３の長手方向における中央位置から他端面３４側までにフィルタ５ａ，５ｂが設けられる。
このフィルタ５ａ，５ｂは、光源２からの白色光のうち、長波長域の光の透過率が短波長域の透過率よりも低いものである。このフィルタ５ａ，５ｂが反射面３１１と拡散反射面７１との間に設けられることから、反射面３１１を通過して、拡散反射面７１で拡散反射された光は、フィルタ５ａ，５ｂを通過する前に比べて、長波長域の光の強度が弱い色度になる。
フィルタ５ａ，５ｂの構成材料としては、色温度変換フィルタと呼ばれているものを用いることができ、例えばアクリル樹脂のような透光性を有する樹脂材料の内部に例えば酸化銅を混ぜ込んだものを用いることができる。
【００３５】
導光体３の中央位置に配置されたフィルタ５ａと他端面３４側に配置されたフィルタ５ｂとは、光源２からの白色光のうち、長波長域の光の透過率が短波長域の透過率よりも低いものであり、他端面３４側に配置されたフィルタ５ｂは、中央位置に配置されたフィルタ５ａに比べて、長波長域の光の透過率と短波長域の光の透過率との差が大きい。
なお、第１の実施例においては、フィルタ５ａ，５ｂを２つの例で示したがこの数に限定されるものではなく、導光体３の一端面３３から他端面３４に向かうに従って、光源２からの白色光のうちの長波長域の光の透過率と短波長域の光の透過率との差を大きくできれば、フィルタを３つ以上設けてもかまわない。
【００３６】
導光体３の背面３１側には、支持台９１が配置され、導光体３は支持台９１によって保持される。
フィルタ５ａ，５ｂと拡散反射体７とは、導光体３と支持台９１との間に配置されることで挟持される。
支持台９１は、導光体３の長手方向に沿って伸びて設けられ、拡散反射板８を他端面３４に対向させるように保持し、また光源２を一端面３３に対向させるように保持する。
【００３７】
上述した第１の実施例に係る線状光源装置１は、図示しない電源から発光ダイオード２２に給電することで、導光体３の出射面３２から線状の出射光（線状光）が得られる。この線状光を得るまでについて説明する。
【００３８】
給電された発光ダイオード２２は例えば４３０ｎｍ〜４７０ｎｍの波長域のいわゆる青色光を出射し、発光ダイオード２２を封止する封止体２３を照射する。封止体２３には、黄色蛍光体が封入されており、この黄色蛍光体にも青色光が照射される。黄色蛍光体は、青色光が照射されることで励起されて５００ｎｍ〜６００ｎｍの波長域のいわゆる黄色光を出射する。
このように光源２からは、青色光と黄色光とが混色された白色光が出射される。
【００３９】
光源２からの白色光は、導光体３の一端面３３を直接照射し、また反射体４１の反射面４１１で反射されて間接的に導光体３の一端面３３を照射することで、導光体３の一端面３３から内部に取り込まれる。
【００４０】
導光体３の内部に取り込まれた光は、導光体３の反射面３１１で反射されて出射面３２から出射される光と、導光体３の反射面３１１を通過したのちに拡散反射面７１で拡散反射されて出射面３２から出射される光とがあり、導光体３の長手方向に向かって進むにつれて、出射面３２から順次出射される。
【００４１】
まず、導光体３の内部に取り込まれた光のうち、導光体３の反射面３１１で反射され、出射面３２から出射される光について説明する。
導光体３の内部に取り込まれた光のうち、導光体３の反射面３１１で反射されるものは、図１に示すように、導光体３の長手方向において、一端面３３側の凸凹溝からなる反射面３１１で反射されて出射面３２から出射される光Ｌ１１ａと、導光体３の内部を進んでいって中央位置の凸凹溝からなる反射面３１１で反射されて出射面３２から出射される光Ｌ１２ａと、導光体３の内部をさらに進んでいって他端面３４側の凸凹溝からなる反射面３１１で反射されて出射面３２から出射される光Ｌ１３ａとがある。
導光体３の一端面３３側で出射された光Ｌ１１ａ，導光体３の中央位置で出射された光Ｌ１２ａ及び導光体３の他端面３４側で出射された光Ｌ１３ａは、光源２からの青色光と黄色光とを含んでいるが、例えばアクリル樹脂からなる導光体３の内部を進むと、短波長域の青色光の方が長波長域の黄色光よりも導光体３に吸収される量が大きくなり、光源２で出射されたときの白色光の色度に比べて、青色光の強度が弱い色度になる。
さらに、一端面３３で出射された光Ｌ１１ａ、中央位置で出射された光Ｌ１２ａ、他端面３４側で出射された光Ｌ１３ａの順で、導光体３の内部を進んだ距離が長くなり、この導光体３の内部を進んだ距離が長くなるにつれて、青色光の強度が弱い色度になる。
【００４２】
次に、導光体３の内部に取り込まれた光のうち、導光体３の反射面３１１を通過したのち、拡散反射面７１で拡散反射され、出射面３２から出射される光Ｌ１１ｂ，Ｌ１２ｂ，Ｌ１３ｂについて説明する。
【００４３】
導光体３の内部に取り込まれた光のうち、導光体３の反射面３１１を通過するものは、図１に示すように、導光体３の長手方向において、一端面３３側の凸凹溝からなる反射面３１１を通過する光と、導光体３の内部を進んでいって中央位置の凸凹溝からなる反射面３１１を通過する光と、導光体３の内部をさらに進んでいって他端面３４側の凸凹溝からなる反射面３１１を通過する光とがある。
導光体３の長手方向において、一端面３３側の反射面３１１にはフィルタが設けられておらず、中央位置の反射面３１１にはフィルタ５ａが設けられ、他端面３４側の反射面３１１にはフィルタ５ｂが設けられている。
【００４４】
一端面３３側の反射面３１１を通過した光は、フィルタを通過することなく、拡散反射体７の拡散反射面７１に拡散反射される。このため、一端面３３側の拡散反射体７で拡散反射された光Ｌ１１ｂは、光源２からの青色光と黄色光とを含んでいるが、例えばアクリル樹脂からなる導光体３の内部を進むと、短波長域の青色光の方が長波長域の黄色光よりも導光体３に吸収される量が大きくなり、光源２で出射されたときの白色光の色度に比べて、青色光の強度が弱い色度になる。従って、一端面３３側の拡散反射体７で拡散反射された光Ｌ１１ｂは、一端面３３側の反射面３１１で反射された光Ｌ１１ａと殆んど同じ色度を有する。
【００４５】
中央位置の反射面３１１を通過した光は、フィルタ５ａを通過したのち、拡散反射体７の拡散反射面７１に拡散反射される。また、他端面３４側の反射面３１１を通過した光は、フィルタ５ｂを通過したのち、拡散反射体７の拡散反射面７１に拡散反射される。このため、中央位置の拡散反射体７で拡散反射された光Ｌ１２ｂ及び他端面３４側の拡散反射体７の拡散反射された光Ｌ１３ｂは、光源２からの青色光と黄色光とを含んでいるが、例えばアクリル樹脂からなる導光体３の内部を進むと、短波長域の青色光の方が長波長域の黄色光よりも導光体３に吸収される量が大きくなる。
中央位置の拡散反射体７で拡散反射された光Ｌ１２ｂ及び他端面３４側の拡散反射体７の拡散反射された光Ｌ１３ｂは、フィルタ５ａ，５ｂを通過したのち、拡散反射面７１で拡散反射され、再度フィルタ５ａ，５ｂを通過する。このフィルタ５ａ，５ｂは、導光体３を進んだ白色光のうち、長波長域の光の透過率が短波長域の透過率よりも低いものであるので、白色光が通過する際に、長波長域の黄色光の方が短波長域の青色光よりも吸収する量が大きい。
このため、中央位置の拡散反射面７１で拡散反射された光Ｌ１２ｂは、中央位置の反射面３１１で反射されて光Ｌ１２ａに比べて、青色光の強度が強い色度になり、また、他端面３４側の拡散反射面７１で拡散反射された光Ｌ１３ｂは、他端面３４側の反射面３１１で反射された光Ｌ１３ａに比べて、青色光の強度が強い色度になる。
【００４６】
他端面３４側の拡散反射面７１で拡散反射された光Ｌ１３ｂは、中央位置の拡散反射面７１で拡散反射された光Ｌ１２ｂに比べて、導光体３の内部を進んだ距離が長いので、短波長域の青色光が導光体３に吸収される量が大きい。しかしながら、他端面３４側の光Ｌ１３ｂが通過したフィルタ５ｂは、中央位置の光Ｌ１２ｂが通過したフィルタ５ａに比べて、光源２からの光の長波長域の光の透過率と短波長域の光の透過率との差が大きく、長波長域の黄色光を吸収する量が大きくなるので、他端面３４側の拡散反射面７１で拡散反射された光Ｌ１３ｂが、中央位置の拡散反射面７１で拡散反射された光Ｌ１２ｂに比べて、短波長域の青色光の強度が強い色度を有する。
【００４７】
以上のように、光源２からの白色光が導光体３の反射面３１１で反射された光Ｌ１１ａ，Ｌ１２ａ，Ｌ１３ａは、導光体３の長手方向において、一端面３３側から他端面３４側に向かうに従って、導光体３の内部を進む距離が長くなることから、青色光の強度の低下が黄色光の強度の低下よりも大きくなっていき、一端面３３側の出射面３２からの出射光Ｌ１１の色度に比べて、中央位置の出射面３２からの出射光Ｌ１２ａの色度が、黄色光の強度が強い色度になってしまい、さらに、他端面３４側の出射面３２からの出射光Ｌ１３ａの色度が、中央位置の出射面３２からの出射光Ｌ１２ａの色度に比べて、黄色光の強度が強い色度になってしまう。
そこで、第１の実施例に係る線状光源装置１は、導光体３の長手方向において、中央位置の反射面３１１と拡散反射面７１との間にフィルタ５ａを設けたことにより、中央位置の拡散反射面７１で拡散反射された光Ｌ１２ｂがフィルタ５ａを通過するので、フィルタ５ａを通過した光Ｌ１２ｂをフィルタ５ａを通過する前の光に比べて青色光の強度が強い色度にすることができる。これにより、導光体３の中央位置の出射面３２からの出射光は、反射面３１１で反射された光Ｌ１２ａにフィルタ５ａを通過した光Ｌ１２ｂを混色させることで形成され、一端面３３側の出射面３２からの出射光Ｌ１１ａとＬ１１ｂとの混色光の色度に近似させることができる。
さらに、第１の実施例に係る線状光源装置１は、導光体３の長手方向において、他端面３４側の反射面３１１と拡散反射面７１との間にフィルタ５ｂを設け、このフィルタ５ｂが中央位置に配置されたフィルタ５ａよりも、長波長域の光の透過率と短波長域の光の透過率との差よりも大きいので、フィルタ５ｂを通過した光Ｌ１３ｂを、フィルタ５ｂを通過する前の光に比べて青色光の強度が強い色度にすることができるだけでなく、フィルタ５ａを通過した後の光Ｌ１２ｂに比べても青色光の強度が強い色度にできる。これにより、他端面３４側の反射面３１１で反射された光Ｌ１３ａは、中央位置の反射面３１１で反射された光Ｌ１２ａに比べて、青色光の強度が弱いが、他端面３４側のフィルタ５ｂを通過した光Ｌ１３ｂを中央位置のフィルタ５ａを通過した光Ｌ１２ｂに比べて青色光の強度を強くした色度にすることにより、他端面３４側の出射面３２からの出射光は、中央位置の出射面３２からの出射光Ｌ１２ａとＬ１２ｂとの混色光の色度に近似させることができる。
従って、第１の実施例に係る線状光源装置１は、導光体３の反射面３１１と拡散反射面７１との間に、光源２からの光のうちの長波長域の光の透過率が短波長域の光の透過率よりも低いフィルタ５ａ，５ｂを設け、このフィルタ５ａ，５ｂを導光体の一端面３３から他端面３４に向かうに従って、長波長域の光の透過率と短波長域の光の透過率との差を大きくしたことにより、導光体３の長手方向における色度差を抑制することができる。
以上のことから、第１の実施例に係る線状光源装置１は、導光体３の長手方向において、色度差が小さい線状光を出射することができる。
【００４８】
上述の第１の実施例では、導光体３に設けた反射面３１１が、導光体３の長手方向に対する直交する断面（図２）において、１つ設けた構成を示した。本発明の線状光源装置１は、特許文献２にあるように、反射鏡を利用して原稿台上の読取媒体に対して２方向から光を照射する場合にも利用できる。この反射鏡を用いた場合の線状光源装置１の構成を、第２の実施例として説明する。
【００４９】
図３は、本発明の第２の実施例に係る線状光源装置１の説明図である。
図３は、線状光源装置１を備えた照明装置の全体図であって、線状光源装置１の導光体の長手方向に対して直交する断面図である。
なお、図３には、図２に示したものと同じものに、同一の符号が付されている。
【００５０】
図３に示す線状光源装置１は、導光体３の反射面３１１，３１２が２つ設けられた点で、図２で示した第１の実施例と相違する。
図３の第２の実施例の説明として、図２と共通する説明は省略し、図２との相違点について述べる。
【００５１】
導光体３は、円弧状の出射面３２の反対側にＶ字状の背面３１を有し、このＶ字を構成する一対の辺のそれぞれに凸凹溝からなる反射面３１１，３１２を備え、この一対の反射面３１１，３１２が導光体３の長手方向に沿って設けられる。この一対の反射面３１１，３１２は、背面３１のＶ字の一対の辺にそれぞれ設けられることで、両反射面３１１，３１２の法線が交差するように構成される。
【００５２】
フィルタ５ａは、一方の反射面３１１と拡散反射面７１との間だけでなく、他方の反射面３１２と拡散反射面７２との間にも設けられ、断面Ｖ字状に構成される。
なお、このＶ字状のフィルタは、導光体３の一端面３３から他端面３４に向かうに従って、光源２からの白色光のうちの長波長域の光の透過率と短波長域の光の透過率との差が大きくなるように、図１の第１の実施例と同様に、導光体３の長手方向において、中央位置にフィルタ５ａが配置され、他端面３４側にフィルタ５ｂが配置される。
【００５３】
導光体３は、円弧状の出射面３２が原稿台９５に向かって配置されると共に、一方の反射面３１１の法線が原稿台９５に向かって配置される。これにより、光源２から導光体３の内部を取り込まれた光は、一方の反射面３１１で反射され、原稿台９５を照射する（符号Ｌ１の光）。
一方、導光体３の他方の反射面３１２の法線方向には、反射鏡９２の反射面が配置され、他方の反射面３１２で反射された光を、反射鏡９２の反射面で反射して原稿台９５を照射する（符号Ｌ２の光）。
また、導光体３の内部に取り込まれた光は、反射面３１１，３１２を通過して、拡散反射面７１で拡散反射されるものもあるが、この拡散反射された光は、フィルタ５ａを通過することから、原稿台９５への直接光Ｌ１にも、反射鏡９２への間接光Ｌ２にもフィルタ５ａを通過した光が照射される。
これにより、原稿台９５上に配置された読取媒体（不図示）は、導光体３からの直接光Ｌ１が照射されると共に、この直接光Ｌ１とは異なる方向から反射鏡９２を介した間接光Ｌ２が照射される。
【００５４】
反射鏡９２は、反射鏡支持台９３に保持される。反射鏡支持台９３と支持台９１とは、基台９４によって固定されることで、反射鏡９２と導光体３との位置関係が保持される。
【００５５】
第２の実施例に係る線状光源装置１は、一方の反射面３１１と拡散反射面７１との間、及び、他方の反射面３１２と拡散反射面７１との間に、フィルタ５ａを設けたことで、反射面３１１，３１２を通過した光をフィルタ５ａに通過させることができる。第２の実施例に係る線状光源装置１は、このフィルタ５ａが、光源２からの白色光のうちの長波長域の光の透過率が短波長域の光の透過率よりも低いものであって、長波長域の光の透過率と短波長域の光の透過率との差が大きくなるようにしたことにより、第１の実施例と同様の効果を得ることができる。
【００５６】
なお、第１及び第２の実施例では、拡散反射体７と支持台９１とを別体で設けたが、両者の機能を有したものを用いてもかまわない。その具体例として、第３の実施例を説明する。
【００５７】
図４は、本発明の第３の実施例に係る線状光源装置１の説明図である。
図４（ａ）は、線状光源装置１の導光体３の長手方向に沿った断面図であり、図４（ｂ）は、図４（ａ）の導光体３の長手方向に対して直交する断面図（図４（ａ）のＢ−Ｂ断面図）である。
なお、図４には、図１に示したものと同じものに、同一の符号が付されている。
【００５８】
図４に示す線状光源装置１は、拡散反射体７ａに導光体３の保持機能を持たせた点で、図１で示した第１の実施例と相違する。
図４の第３の実施例の説明として、図１と共通する説明は省略し、図１との相違点について説明する。
【００５９】
拡散反射体７ａは、肉厚を厚くすることで、導光体３の保持機能を備え、導光体３を保持する。フィルタ５ａ，５ｂは、導光体３と拡散反射体７ａとの間で挟持される。
【００６０】
このように、第３の実施例では、拡散反射体７ａに保持機能を持たせたとしても、導光体３の反射面３１１と拡散反射体７ａの拡散反射面７１ａとの間にフィルタ５ａ，５ｂを設けることで、第１の実施例と同様の効果を得ることができる。
【００６１】
上述の第１〜３の実施例では、導光体３の一端面３３側の反射面３１１と拡散反射面７１との間に、フィルタを設けない例を示したが、ＣＣＤの読取感度によっては、導光体３の一端面３３側からの出射光に青色光の強度を増加させたい場合がある。次に、フィルタ５ａを導光体３の長手方向における一端面３３側に設けた例として、第４の実施例を説明する。
【００６２】
図５は、本発明の第４の実施例に係る線状光源装置１の説明図である。
図５は、導光体３の長手方向に沿った断面図である。
なお、図５には、図１に示したものと同じものに、同一の符号が付されている。
【００６３】
図５に示す線状光源装置１は、導光体３の一端面３３側にフィルタ５ａを設けた点で、図１で示した第１の実施例と相違する。
図５の第４の実施例の説明として、図１と共通する説明は省略し、図１との相違点について説明する。
【００６４】
図５に示すように、導光体３の反射面３１１と拡散反射体７の拡散反射面７１との間に、導光体３の長手方向における一端面側から他端面までにフィルタ５ａ，５ｂ，５ｃが設けられる。
このフィルタ５ａ，５ｂ，５ｃは、光源２からの白色光のうち、長波長域の光の透過率が短波長域の透過率よりも低いものである。このフィルタ５ａ，５ｂ，５ｃが反射面３１１と拡散反射面７１との間に設けられることから、反射面３１１を通過して、拡散反射面７１で拡散反射された光は、フィルタ５ａ，５ｂ，５ｃを通過する前に比べて、長波長域の光の強度が弱い色度になる。
【００６５】
導光体３の一端面３３側に配置されたフィルタ５ａと導光体３の中央位置に配置されたフィルタ５ｂと他端面３４側に配置されたフィルタ５ｃとは、光源２からの白色光のうち、長波長域の光の透過率が短波長域の透過率よりも低いものであり、他端面３４側に配置されたフィルタ５ｃは、中央位置に配置されたフィルタ５ｂに比べて、長波長域の光の透過率と短波長域の光の透過率との差が大きく、中央位置に配置されたフィルタ５ｂは、一端面３３側に配置されたフィルタ５ａに比べて、長波長域の光の透過率と短波長域の光の透過率との差が大きい。
従って、フィルタ５ａ，５ｂ，５ｃは、導光体３の一端面３３から他端面３４に向かうに従って、光源２からの白色光のうちの長波長域の光の透過率と短波長域の光の透過率との差を大きくなっている。
【００６６】
第４の実施例に係る線状光源装置１は、一端面３３側の反射面３１１と拡散反射面７１との間にフィルタ５ａを設けたことによって、導光体３の一端面３３側からの色度を所望の色度にすることができる。さらに、第４の実施例に係る線状光源装置１は、導光体３の長手方向において、一端面３３から他端面３４に向かうに従って、光源２からの白色光のうちの長波長域の光の透過率と短波長域の光の透過率との差を大きくしたことによって、第１の実施例と同様に、導光体３の長手方向における色度差を抑制することができる。
【００６７】
第１〜４の実施例に係る線状光源装置１では、長波長域の光の透過率が短波長域の透過率よりも低いフィルタを用いたが、このフィルタを用いない例として、第５の実施例を説明する。
【００６８】
図６は、本発明の第５の実施例に係る線状光源装置１の説明図である。
図６は、線状光源装置１の導光体３の長手方向に沿った断面図である。
なお、図６には、図１に示したものと同じものに、同一の符号が付されている。
【００６９】
図６に示す線状光源装置１は、フィルタを設けない点と、拡散反射体を設けない点と、反射体６ａ，６ｂを設けた点とで、図１で示した第１の実施例と相違する。
図６の第５の実施例の説明として、図１と共通する説明は省略し、図１との相違点につて述べる。
【００７０】
図６に示すように、導光体３の反射面３１１の背面に、導光体３の長手方向における中央位置から他端面３４側までに、反射体６ａ，６ｂが設けられる。
この反射体６ａ，６ｂは、光源２からの白色光のうち、長波長域の光の反射率が短波長域の反射率よりも低いものである。この反射体６ａ，６ｂが反射面３１１の背面に設けられることから、反射面３１１を通過して、反射体６ａ，６ｂで反射された光は、反射体６ａ，６ｂに反射される前に比べて、長波長域の光の強度が弱い色度になる。
反射体６ａ，６ｂの構成材料としては、例えばポリカーボネート（ＰＣ：Ｐｏｌｙｃａｒｂｏｎａｔｅ）樹脂やポリブチレンテレフタレート（ＰＢＴ：Ｐｏｌｙ  ｂｕｔｙｌｅｎｅ  ｔｅｒｅｐｈｔｈａｌａｔｅ）樹脂などの透光性を有する樹脂材料を、例えば樹脂用の青色染料や、例えば樹脂用の青色顔料によって着色したものを用いることができる。
また、反射体６ａ，６ｂは、基台９１上に青色顔料を蒸着して設けてもかまわなく、青色塗料を塗布して設けてもかまわない。
このように、反射体６ａ，６ｂは、光源２からの白色光のうち、短波長域の反射率が長波長域の反射率よりも高くしたものになり、反射体６ａ，６ｂの外見は、白色光のうちの長波長域の光の強度が短波長域の光の強度より強いので、青味の色度が強い色に見える。
【００７１】
導光体３の中央位置に配置された反射体６ａと他端面３４側に配置された反射体６ｂとは、光源２からの白色光のうち、長波長域の光の反射率が短波長域の反射率よりも低いものであり、他端面３４側に配置された反射体６ｂは、中央位置に配置された反射体６ａに比べて、長波長域の光の反射率と短波長域の光の反射率との差が大きい。
なお、第５の実施例においては、反射体６ａ，６ｂを２つの例で示したがこの数に限定されるものではなく、導光体３の一端面３３から他端面３４に向かうに従って、光源２からの白色光のうちの長波長域の光の反射率と短波長域の光の反射率との差を大きくできれば、反射体を３つ以上設けてもかまわない。
【００７２】
なお、反射体６ａ，６ｂで反射した光をその反射した位置の直上にある反射面３２（例えば導光体３の中央位置の反射体６ａで反射した光の場合、導光体３の中央位置の出射面３２）から出射するためには、反射体６ａ，６ｂにおける反射面３１１に対向する面を拡散反射面で構成することが好ましい。
【００７３】
上述した第５の実施例に係る線状光源装置１は、図示しない電源から発光ダイオード２２に給電することで、導光体３の出射面３２から線状の出射光（線状光）が得られる。この線状光を得るまでについて説明する。
【００７４】
給電された発光ダイオード２２は例えば４３０ｎｍ〜４７０ｎｍの波長域のいわゆる青色光を出射し、発光ダイオード２２を封止する封止体２３を照射する。封止体２３には、黄色蛍光体が封入されており、この黄色蛍光体にも青色光が照射される。黄色蛍光体は、青色光が照射されることで励起されて５００ｎｍ〜６００ｎｍの波長域のいわゆる黄色光を出射する。
このように光源２からは、青色光と黄色光とが混色された白色光が出射される。
【００７５】
光源２からの白色光は、導光体３の一端面３３を直接照射し、また反射体４１の反射面４１１で反射されて間接的に導光体３の一端面３３を照射することで、導光体３の一端面３３から内部に取り込まれる。
【００７６】
導光体３の内部に取り込まれた光は、導光体３の反射面３１１で反射されて出射面３２から出射される光と、導光体３の反射面３１１を通過したのちに反射体６ａ，６ｂで反射されて出射面３２から出射される光とがあり、導光体３の長手方向に向かって進むにつれて、出射面３２から順次出射される。
【００７７】
まず、導光体３の内部に取り込まれた光のうち、導光体３の反射面３１１で反射され、出射面３２から出射される光について説明する。
導光体３の内部に取り込まれた光のうち、導光体３の反射面３１１で反射されるものは、図１に示すように、導光体３の長手方向において、一端面３３側の凸凹溝からなる反射面３１１で反射されて出射面３２から出射される光Ｌ１１ａと、導光体３の内部を進んでいって中央位置の凸凹溝からなる反射面３１１で反射されて出射面３２から出射される光Ｌ１２ａと、導光体３の内部をさらに進んでいって他端面３４側の凸凹溝からなる反射面３１１で反射されて出射面３２から出射される光Ｌ１３ａとがある。
導光体３の一端面３３側で出射された光Ｌ１１ａ，導光体３の中央位置で出射された光Ｌ１２ａ及び導光体３の他端面３４側で出射された光Ｌ１３ａは、光源２からの青色光と黄色光とを含んでいるが、例えばアクリル樹脂からなる導光体３の内部を進むと、短波長域の青色光の方が長波長域の黄色光よりも導光体３に吸収される量が大きくなり、光源２で出射されたときの白色光の色度に比べて、青色光の強度が弱い色度になる。
さらに、一端面３３で出射された光Ｌ１１ａ、中央位置で出射された光Ｌ１２ａ、他端面３４側で出射された光Ｌ１３ａの順で、導光体３の内部を進んだ距離が長くなり、この導光体３の内部を進んだ距離が長くなるにつれて、青色光の強度が弱い色度になる。
【００７８】
次に、導光体３の内部に取り込まれた光のうち、導光体３の反射面３１１を通過したのち、反射体６ａ，６ｂで反射され、出射面３２から出射される光Ｌ１２ｂ，Ｌ１３ｂについて説明する。なお、反射体６ａ，６ｂは、反射面３１１と対向する面を拡散反射面で構成した場合で説明する。
【００７９】
導光体３の内部に取り込まれた光のうち、導光体３の反射面３１１を通過するものは、図１に示すように、導光体３の長手方向において、一端面３３側の凸凹溝からなる反射面３１１を通過する光と、導光体３の内部を進んでいって中央位置の凸凹溝からなる反射面３１１を通過する光と、導光体３の内部をさらに進んでいって他端面３４側の凸凹溝からなる反射面３１１を通過する光とがある。
導光体３の長手方向において、一端面３３側の反射面３１１には反射体が設けられておらず、中央位置の反射面３１１には反射体６ａが設けられ、他端面３４側の反射面３１１には反射体６ｂが設けられている。
【００８０】
一端面３３側の反射面３１１を通過した光は、反射体で反射されることなく、基台９１上を照射する。基台９１上に拡散反射面を設けていない場合、基台９１上を照射した光は、ここで消失する。
【００８１】
中央位置の反射面３１１通過した光及び他端面３４側の反射面３１１を通過した光は、反射体６ａ，６ｂで拡散反射される。このため、中央位置の反射体６ａで拡散反射された光Ｌ１２ｂ及び他端面３４側の反射体６ｂで拡散反射された光Ｌ１３ｂは、光源２からの青色光と黄色光とを含んでいるが、例えばアクリル樹脂からなる導光体３の内部を進むと、短波長域の青色光の方が長波長域の黄色光よりも導光体３に吸収される量が大きくなる。
反射体６ａ，６ｂは、導光体３を進んだ白色光のうち、長波長域の光の反射率が短波長域の反射率よりも低いものであるので、白色光を反射する際に、長波長域の黄色光の方が短波長域の青色光よりも吸収する量が大きい。このため、中央位置の反射体６ａで拡散反射された光Ｌ１２ｂは、中央位置の反射面３１１で反射された光Ｌ１２ａに比べて、青色光の強度が強い色度になり、他端面３４側の反射体６ｂで拡散反射された光Ｌ１３ｂは、他端面３４側の反射面３１１で反射された光Ｌ１３ａに比べて、青色光の強度が強い色度になる。
【００８２】
他端面３４側の反射体６ｂで拡散反射された光Ｌ１３ｂは、中央位置の反射体６ａで拡散反射された光Ｌ１２ｂに比べて、導光体３の内部を進んだ距離が長いので、短波長域の青色光が導光体３に吸収される量が大きい。しかしながら、他端面３４側の反射体６ｂは、中央位置の反射体６ａに比べて、光源２からの光の長波長域の光の反射率と短波長域の光の反射率との差が大きく、長波長域の黄色光を吸収する量が大きくなるので、他端面３４側の反射体６ｂで拡散反射された光Ｌ１３ｂが、中央位置の反射体６ａで拡散反射された光Ｌ１２ａに比べて、短波長域の青色光の強度が強い色度を有する。
【００８３】
以上のように、光源２からの白色光が導光体３の反射面３１１で反射された光Ｌ１１ａ，Ｌ１２ａ，Ｌ１３ａは、導光体３の長手方向において、一端面３３側から他端面３４側に向かうに従って、導光体３の内部を進む距離が長くなることから、青色光の強度の低下が黄色光の強度の低下よりも大きくなっていき、一端面３３側の出射面３２からの出射光Ｌ１１の色度に比べて、中央位置の出射面３２からの出射光Ｌ１２ａの色度が、黄色光の強度が強い色度になってしまい、さらに、他端面３４側の出射面３２からの出射光Ｌ１３ａの色度が、中央位置の出射面３２からの出射光Ｌ１２ａの色度に比べて、黄色光の強度が強い色度になってしまう。
そこで、第５の実施例に係る線状光源装置１は、導光体３の長手方向において、中央位置の反射面３１１の背面に反射体６ａを設けたことにより、中央位置の反射体６ａで反射されるので、反射体６ａで反射された光Ｌ１２ｂを反射体６ａで反射される前の光に比べて青色光の強度が強い色度にすることができる。これにより、導光体３の中央位置の出射面３２からの出射光は、反射面３１で反射された光Ｌ１２ａに反射体６ａで反射された光Ｌ１２ｂを混色されることで形成され、一端面３３側の出射面３２からの出射光Ｌ１１ａの色度に近似させることができる。
さらに、第５の実施例に係る線状光源装置１は、導光体３の長手方向において、他端面３４の背面に反射体６ｂを設け、この反射体６ｂが中央位置に配置された反射体６ａよりも、長波長域の光の反射率と短波長域の光の反射率との差が大きいので、他端面３４の反射体６ｂで反射された光Ｌ１３ｂを、反射体６ｂで反射される前の光に比べて青色光の強度が強い色度にすることができるだけでなく、反射体６ａで反射した光Ｌ１２ｂに比べても青色光の強度が強い色度にできる。これにより、他端面３４側の反射面３１１で反射された光Ｌ１３ａは、中央位置の反射面３１１で反射された光Ｌ１２ａに比べて、青色光の強度が弱いが、他端面３４側の反射体６ｂで反射された光Ｌ１３ｂを中央位置の反射体６ａで反射された光１２ｂに比べて青色光の強度を強くした色度にすることにより、他端面３４側の出射面３２からの出射光は、中央位置の出射面３２からの出射光Ｌ１２ａとＬ１２ｂとの混色光の色度に近似させることができる。
従って、第５の実施例に係る線状光源装置１は、導光体３の反射面３１１の外面に、光源２からの光のうちの長波長域の光の反射率が短波長域の光の反射率よりも低い反射体６ａ，６ｂを設け、この反射体６ａ，６ｂを導光体の一端面３３から他端面３４に向かうに従って、長波長域の光の反射率と短波長域の光の反射率との差を大きくしたことにより、導光体３の長手方向における色度差を抑制することができる。
以上のことから、第５の実施例に係る線状光源装置１は、導光体３の長手方向において、色度さが小さい線状光を出射することができる。
【００８４】
なお、上述の第５の実施例において、導光体３からの線状光の光量を増加させるために、図４に示すフィルタ５ａ，５ｂを反射体６ａ，６ｂに換えて、基台９１の拡散反射面９１１を利用する構成にしてもかまわなく、図１に示すフィルタ５ａ，５ｂを反射体６ａ，６ｂに換えて、拡散反射体７を利用する構成にしてもかまわない。
また、上述の第５の実施例において、導光体３の一端面３３側からの出射光に青色光の強度を加えるために、図５に示すフィルタ５ａ，５ｂ，５ｃを反射体に換えた構成にしてもかまわない。
【００８５】
上述した本発明について、その効果を示すための実験を行なった。
【００８６】
まず、実験に用いた線状光源装置１について説明する。
実験では、本発明に係る線状光源装置１として図５に示したものを用いた。また、従来に係る線状光源装置１として図５に示したものにおいて、フィルタ５ａ，５ｂ，５ｃを具備しないものを用いた。
従って、本発明に係る線状光源装置１と従来に係る線状光源装置１とは、フィルタ５の有無を除いては、共通の構成を有する。
この共通の構成については、図５を用いて既に説明したので省略し、各構成の部材と数値について説明する。
【００８７】
導光体３としては、棒状のアクリル樹脂を用い、その全長が２１０ｍｍであり、直径が６ｍｍのものを利用した。
光源２としては、青色発光ダイオード２２と、黄色蛍光体を封入されたシリコーン樹脂からなる封止体２３とを備えたものであり、点灯させたときに封止体２３からの出射光の分光分布が図７に示すものを利用した。図７は、横軸が光の波長を示し、縦軸がピーク強度に対する相対強度を示している。この図７に示すように、光源２からの出射光は、青色発光ダイオード２２からの青色光（４３０ｎｍ〜４７０ｎｍの波長域を含む光）と黄色蛍光体からの黄色光（５００ｎｍ〜６００ｎｍの波長域を含む光）とからなる。
拡散反射体６としては、白化させたポリカーボネート樹脂を用い、導光体３の他端面３４に対向する面を鏡面加工せずに拡散反射するものを用いた。
【００８８】
本発明に係る線状光源装置１は、フィルタ５ａ，５ｂ，５ｃを具備しており、このフィルタ５としては、アクリル樹脂に酸化銅を混ぜたものを用いた。
【００８９】
実験では、各線状光源装置１から得られた線状光について、その色度を測定して比較をした。
具体的には、各線状光源装置１を点灯させ、各線状光源装置１に具備される導光体３の出射面３２から１０ｍｍ離れた位置に分光光度計の受光部を配置し、導光体３の長手方向に沿ってその線状光の色度を測定した。
【００９０】
その実験結果を示したのが図８である。
図８（ａ）においては、縦軸が色度図で用いられるｘ座標を示しており、横軸が測定位置を示している。
図８（ｂ）においては、縦軸が色度図で用いられるｙ座標を示しており、横軸が測定位置を示している。
図８（ａ）の横軸及び図８（ｂ）の横軸では、導光体３の長手方向における中央位置を「０ｍｍ」とし、発光ダイオード２２が対向配置された一端面３３側を「−１０５ｍｍ」とし、拡散反射体６が対向配置された他端面３４側を「１０５ｍｍ」としている。
図８（ａ）の縦軸及び図８（ｂ）の縦軸では、一端面３３側の「−１０５ｍｍ」の色度を基準として、それ以外の測定位置の数値をその基準との色度差として示している。
【００９１】
まず、従来に係る線状光源装置１の結果を見ると、導光体３の長手方向において、一端面３３側の色度に比べて、他端面３４側の色度がｘ値及びｙ値のいずれも高くなっている。ｘ値及びｙ値が高くなるということは、黄色光の強度が青色光の強度よりも高くなっていることを示している。
従来に係る線状光源装置１は、導光体３の長手方向において、他端面３４側の色度が一端面３３側の色度に比べて、黄色光の強度が青色光の強度より強くなってしまうことで、導光体３の長手方向において、色度が変わってしまっていることを示している。
【００９２】
次に、本発明に係る線状光源装置１の結果を見ると、導光体３の長手方向において、一端面３３側の色度に比べて、中央側の色度及び他端面３４側の色度がｘ値及びｙ値のいずれも高くなっているものの、従来に係る線状光源装置１に比べて、他端面３４側の色度が一端面３３側の色度に近似させることができている。
これは、本発明に係る線状光源装置１は、拡散反射体７で拡散反射される光を、フィルタ５ａ，５ｂ，５ｃに通過させると共に、フィルタ５ａ，５ｂ，５ｃを導光体３の一端面３３から他端面３４に向かうに従って、光源２からの白色光のうちの長波長域の光の透過率と短波長域の光の透過率との差を大きくしたことで、従来に係る線状光源装置１に比べて、導光体３の長手方向における色度差を抑制できた。
【符号の説明】
【００９３】
１        線状光源装置
２        光源
２１      基板
２２      発光ダイオード
２３      封止体
３        導光体
３１      背面
３１１    反射面
３１２    反射面
３２      出射面
３３      一端面
３４      他端面
３５      側面
３６      突出部
４１      反射体
４１１    反射面
４１２    筒状部分
５ａ，５ｂ，５ｃ    フィルタ
６ａ，６ｂ，６ｃ    反射体
７，７ａ    拡散反射体
７１，７１ａ    拡散反射面
８        拡散反射板
９１      支持台
９１１    拡散反射面
９２      反射鏡
９３      反射鏡支持台
９４      基台
９５      原稿台
【図１】
2011249190.tif 000003
【図２】
2011249190.tif 000004
【図３】
2011249190.tif 000005
【図４】
2011249190.tif 000006
【図５】
2011249190.tif 000007
【図６】
2011249190.tif 000008
【図７】
2011249190.tif 000009
【図８】
2011249190.tif 000010
【図９】
2011249190.tif 000011
【図１０】
2011249190.tif 000012